(57)【要約】【課題】被検出体内部から一方の端面入射した光を他方の端面に伝達し、かつ、空気中から入射した光を吸収する角度に一方の端面の傾斜が設定された光ガイド手段と、光ガイド手段を透過した光を電気信号に変換する光検出手段とを有する画像検出装置に関し、精度よく画像検出を行える画像検出装置を提供することを目的とする。【解決手段】  本発明は、被検出体内部から一方の端面入射した光を他方の端面に伝達し、かつ、空気中から入射した光を吸収する角度に該一方の端面の傾斜が設定された光ガイド手段（１４）と、光ガイド手段（１４）を透過した光を電気信号に変換する光検出手段（１５、３１）とを有する画像検出装置であって、光検出手段（１５、３１）の検出パターンに基づいて被検出体の状態を検出する状態検出手段（３２）を有することを特徴とする。【選択図】図１
2005215890.tif 000002
【特許請求の範囲】
【請求項１】
被検出体内部から一方の端面に入射した光を他方の端面に伝達し、かつ、空気中から入射した光を吸収する角度に該一方の端面の傾斜が設定された光ガイド手段と、前記光ガイド手段を透過した光を電気信号に変換する光検出手段とを有する画像検出装置であって、
前記光検出手段の検出パターンに基づいて前記被検出体の状態を検出する状態検出手段を有することを特徴とする画像検出装置。
【請求項２】
前記状態検出手段の状態検出結果に基づいて前記被検出体の検出状態をユーザに報知する報知手段を有することを特徴とする請求項１記載の画像検出装置。
【請求項３】
前記被検出体は、水分を含有する有機体から構成され、
前記状態検出手段は、前記光検出手段で検出された信号に基づいて前記有機体に含有される水分の状態を検出することを特徴とする請求項１又は２記載の画像検出装置。
【請求項４】
前記状態検出手段で検出された前記被検出体の状態を被検出者に対して報知する報知手段を有することを特徴とする請求項１乃至３のいずれか一項記載の画像検出装置。
【請求項５】
前記状態検出手段は、前記光ガイド手段に対する前記被検出体の接触状態を検出することを特徴とする請求項１乃至４のいずれか一項記載の画像検出装置。
【請求項６】
前記光検出手段により取得された前記電気信号を二値化して、前記状態検出手段に供給する二値化回路を有し、
前記状態検出手段は、前記光検出手段からの二値化信号の一方のレベルと他方のレベルとの割合に応じて前記被検出体の状態を検出することを特徴とする請求項１乃至５のいずれか一項記載の画像検出装置。
【請求項７】
被検出体に光を照射する発光手段と、該被検出体内部から一方の端面に入射した光を他方の端面に伝達し、かつ、空気中から入射した光を吸収する角度に該一方の端面の傾斜が設定された光ガイド手段と、前記光ガイド手段を透過した光を電気信号に変換する光検出手段とを有する画像検出装置であって、
前記光検出手段の検出状態に基づいて前記発光手段の発光量を制御する発光制御手段と、
前記発光制御手段による前記発光手段の制御状態に基づいて前記被検出体の状態を検出する状態検出手段を有することを特徴とする画像検出装置。
【発明の詳細な説明】
【技術分野】
【０００１】
本発明は画像検出装置に係り、特に、被検出体内部から一方の端面入射した光を他方の端面に伝達し、かつ、空気中から入射した光を吸収する角度に一方の端面の傾斜が設定された光ガイド手段と、光ガイド手段を透過した光を電気信号に変換する光検出手段とを有する画像検出装置に関する。
【背景技術】
【０００２】
近年、情報処理の分野では、セキュリティの向上に伴って、指紋などを個人の識別情報として用いる傾向にある。これに伴って、各種指紋センサが開発されている。
【０００３】
指紋センサの一つとして、端面に接触した部分からの光を透過させ、非接触部分の光が吸収されるように光ファイバ束の端面を傾斜してカットし、光ファイバ束を透過した光を検出することにより、指紋の凹凸を検出する装置が提案されている（特許文献１参照）。
【０００４】
一方、このような指紋センサでは、指をスイープさせることによりライン毎に画像を読み取って指紋を取得する構造の装置があった。
【０００５】
【特許文献１】特開平６−３００９３０号公報
【発明の開示】
【発明が解決しようとする課題】
【０００６】
しかるに、指をスイープさせる構造の指紋センサでは、指の接触面への接触力の強さなどによって取得される画像の画質が劣化し、指紋検出が正確に行えないなどの課題があった。
【０００７】
本発明は、取得画像に応じて被検出体の検出状態を検出し、検出状態に応じてガイダンスを行い、最適な検出状態を報知して、適切な状態での画像検出を可能とした画像検出装置を提供することを目的とする。
【０００８】
本発明は上記の点に鑑みてなされたもので、精度よく画像検出を行える画像検出装置を提供することを目的とする。
【課題を解決するための手段】
【０００９】
本発明は、被検出体内部から一方の端面入射した光を他方の端面に伝達し、かつ、空気中から入射した光を吸収する角度に一方の端面の傾斜が設定された光ガイド手段（１４）と、光ガイド手段（１４）を透過した光を電気信号に変換する光検出手段（１５）とを有する画像検出装置であって、光検出手段（１５）の検出パターンに基づいて被検出体の状態を検出する状態検出手段（３２）を有することを特徴とする。
【００１０】
被検出体は、水分を含有する有機体から構成され、状態検出手段（３２）は光検出手段（１５）で検出された信号に基づいて有機体に含有される水分の状態を検出することを特徴とする。
【００１１】
状態検出手段（３２）は、検出された被検出体の状態を被検出者に対して報知する報知手段を有することを特徴とする。
【００１２】
状態検出手段（３２）は、光ガイド手段（１５、３２）に対する被検出体の接触状態を検出することを特徴とする。
【００１３】
光検出手段（１５）により取得された電気信号を二値化して、状態検出手段（３２）に供給する二値化回路（３１）を有し、状態検出手段（３２）は、光検出手段（１５）からの二値化信号の一方のレベルと他方のレベルとの割合に応じて被検出体の状態を検出することを特徴とする。
【００１４】
また、本発明は、被検出体に光を照射する発光手段（１２−１〜１２−３）と、被検出体内部から一方の端面に入射した光を他方の端面に伝達し、かつ、空気中から入射した光を吸収する角度に一方の端面の傾斜が設定された光ガイド手段（１４）と、光ガイド手段（１４）を透過した光を電気信号に変換する光検出手段（１５）とを有する画像検出装置であって、光検出手段（１５）の検出状態に基づいて発光手段（１２−１〜１２−３）の発光量を制御する発光制御手段（２１）と、発光制御手段（２１）による発光手段（１２−１〜１２−３）の制御状態に基づいて被検出体の状態を検出する状態検出手段（２１）を有することを特徴とする。
【００１５】
なお、上記括弧内の参照符号は理解を容易にするために付したものであり、一例にすぎず、これによって請求の範囲が限定されるものではない。
【発明の効果】
【００１６】
本発明によれば、被検出体内部から一方の端面入射した光を他方の端面に伝達し、かつ、空気中から入射した光を吸収する角度に一方の端面の傾斜が設定された光ガイド手段を透過した光を電気信号に変換し、被検出体の画像を検出する画像検出装置であって、状態検出手段により光検出手段で検出された検出パターンに基づいて被検出体の状態を検出することにより、被検出体の検出状態をユーザに通知できるため、ユーザに正しい検出状態をガイダンスでき、適切な状態での画像検出が可能となり、よって、精度よく画像を検出できる。
【発明を実施するための最良の形態】
【００１７】
〔第１実施例〕
図１は本発明の第１実施例のブロック構成図、図２は本発明の第１実施例の斜視図を示す。
【００１８】
本実施例の画像検出装置１は、ラインセンサを用いた指紋検出装置であり、ラインセンサに対して指を直交する方向に移動させることにより、指紋を検出する装置であり、回路基板１１上に発光素子１２−１、１２−２、１２−３、導光ガイド１３、イメージガイド１４、受光装置１５、電子部品１６を搭載し、モールド樹脂１７により封止した構成とされている。なお、モールド樹脂１７は、カーボンなどが混入されており、光を通さない構成とされている。これによって、イメージガイド１４を伝搬しない不要な光が受光装置１５に入射することを防止している。
【００１９】
発光素子１２−１、１２−２、１２−３は、例えば、近赤外光又は赤色光の発光ダイオード（ＬＥＤ；light emitting diode）から構成されており、その発光部分が回路基板１１上に、矢印Ｘ方向に略等間隔となるように搭載されている。発光素子１２−１、１２−２、１２−３には、回路基板１１上に搭載された電子部品１６から構成される制御装置２１から駆動パルス信号が供給される。駆動パルス信号は、受光装置１５で検出された検出信号に応じてＰＷＭ（pulse
width modulation）制御される。
【００２０】
発光素子１２−１、１２−２、１２−３から出射された光は、導光ガイド１３に供給される。導光ガイド１３は、発光素子１２−１、１２−２、１２−３から出射された光の中心波長成分を透過させる。導光ガイド１３により導かれた光は、掌側から指紋側に向って指の内部に入射する。指に入射した光は、指内部の組織により乱反射される。これによって、光を入射した近傍の指の指紋側が発光しているように見える。指紋側からの光は、イメージガイド１４の一端面に供給される。
【００２１】
イメージガイド１４は、導光ガイド１３に隣接して、導光ガイド１３に平行に、矢印Ｘ方向に光ファイバが配列され、固着された構成とされている。ファイバは、コアの周囲にクラッドが形成され、さらに、クラッドの周囲に光吸収体が形成された構成とされており、指紋の溝部分と山部分とを識別するためのイメージガイドとして作用する。
【００２２】
イメージガイド１４は、光ファイバが矢印Ｘ方向に配列され、固着された構成とされており、その一方の端面が、その中心軸に対して、角度を持って形成されている。イメージガイド１４の一方の端面の角度は、空気層（屈折率１．０）からの光がファイバを通して他端面に伝搬できず、かつ、指（屈折率１．４程度）からの光がファイバを通して他端面に伝搬できる角度に設定されている。その角度は、例えば、ファイバのコアの屈折率１．６２、クラッドの屈折率を１，５２としたとき、３１．６４°程度に設定されるのが理想的である。
【００２３】
このとき、端面の傾斜角は、光ファイバのコアとクラッドとの界面の不均一性などにより、これより大きい角度であっても指紋の溝部分と山部分との識別は可能である。例えば、イメージガイド１４の一端面の角度は、３０°〜６０°で検出が可能となる。なお、イメージガイド１４の一端面の傾斜角が大きい程、装置の小型化が可能となる。これらの理由から本実施例では、その傾斜角を４０°に設定している。
【００２４】
上記構造のイメージガイド１４によれば、指紋の溝の部分では、イメージガイド１４の端面との間に間隙が生じ、光が空気からイメージガイド１４の端面に入射するため、光はイメージガイド１４の他方の端面には伝搬されない。また、指紋の山の部分では、イメージガイド２３の端面に密着しており、指の内部を通る光はイメージガイド１４を通りイメージガイド１４の他端面に伝搬されることになる。
【００２５】
したがって、イメージガイド１４の他方の端面から出射される光を検出することにより、指紋の溝の部分か、山の部分かを識別できる。イメージガイド１４の他端面には、イメージガイド１４を光が伝搬されたか否かを検出するための受光装置１５が配置されている。
【００２６】
受光装置１５は、複数の受光素子１５−１〜１５−ｎを矢印Ｘ方向にライン状に配列した構成とされている。受光素子１５−１〜１５−ｎは、例えばＣＭＯＳ（complementary metal oxide semiconductor）型光電センサやＣＣＤ（charge coupled
device）センサなどの一定周期毎に電荷を蓄積するタイプの受光素子から構成されている。また、受光素子１１−１〜１１−ｎは、イメージガイド１４を構成する光ファイバーのピッチに比べてほぼ同等又は大きく設定されている。
【００２７】
受光装置１５は、受光素子１５−１〜１５−ｎでイメージガイド１４の他端から出射された光を受光し、受光した光の光量に応じて電荷を蓄積する。受光素子１５−１〜１５−ｎに蓄積された電荷は、一定期間毎に検出信号として出力される。受光装置１５から出力された検出信号は、制御装置２１に供給される。
【００２８】
制御装置２１は、検出部３１及び制御部３２から構成される。
【００２９】
図３は検出部３１のブロック構成図を示す。
【００３０】
検出部３１は、アンプ４１、コンパレータ４２、スライスレベル生成回路４３から構成される。
【００３１】
検出部３１には、受光装置１５の受光素子１５−１〜１５−ｎで検出された検出信号が順次に供給される。受光装置１５からの検出信号は、アンプ４１及びスライスレベル生成回路４３に供給される。アンプ４１は、受光装置１５からの検出信号を増幅して出力する。アンプ４１で増幅された信号は、コンパレータ４２の非反転入力端子に供給される。
【００３２】
スライスレベル生成回路４３は、キャパシタ５１、抵抗５２、アナログスイッチ５３から構成される。
【００３３】
受光装置１５からの検出信号は、アナログスイッチ５３を通して抵抗５２の一端に供給される。抵抗５２の他端は、キャパシタ５１の一端に接続される。キャパシタ５１の他端は、接地されている。
【００３４】
アナログスイッチ５３がオンすることにより、抵抗５２を介して検出信号がキャパシタ５１に印加され、キャパシタ５１が検出信号に応じて充放電される。このとき、抵抗５２によりキャパシタ５１の充放電電流が制限される。よって、キャパシタ５１には、検出信号の平均値に応じた電荷が蓄積されることになる。
【００３５】
なお、アナログスイッチ５３は、制御部３２からの切換制御信号に応じてスイッチングされ、検出信号のうちの平均化される期間が制御される。なお、平均化される期間は、受光装置１５から指紋に応じた信号が供給されている期間内である。
【００３６】
なお、制御部３２は、例えば、ＡＳＩＣ（application specific integrated circuit）などにより構成されており、受光装置１５にその読み出しタイミングを制御するためのクロックなどを供給する。また、制御部３２は、検出装置３１のコンパレータ４２の出力に基づいて指紋の山と谷とで二値化された二値化信号に基づいて指紋認証を行い、認証結果を、インタフェースを介して図示しないホスト装置に供給する。また、制御部３２は、指紋画像に基づいて指紋の検出状態をホスト装置に通知する。
【００３７】
ここで、制御部３２による指紋検出処理について説明を行う。
【００３８】
図４は制御部３２の指紋検出処理のフローチャートを示す。
【００３９】
制御部３２は、ステップＳ１−１で指のイメージガイド１４の検出面へのスイープが終了すると、ステップＳ１−２で取り込んだ二値化データに基づいて画像検出処理を行う。
【００４０】
制御部３２は、ステップＳ１−２の画像検出処理により、指紋の画像を抽出する。制御部３２は、次にステップＳ１−３で、画像検出処理で抽出された画像に対して評価値算出処理を実行する。制御部３２は、ステップＳ１−４で判定処理を行う。
【００４１】
次にステップＳ１−２の画像検出処理について説明する。
【００４２】
図５は制御部３２の画像検出処理の処理フローチャートを示す。
【００４３】
制御部３２は、ステップＳ２−１でイメージガイド１４の接触面に指が接触してから離されるまでに受光装置１５から取得された画像のライン数を取得する。
【００４４】
制御部３２は、ステップＳ２−２で取得したライン数が第１の値より大きいか否かを判定する。
【００４５】
制御部３２は、ステップＳ２−２で取得したライン数が第１の値より大きければ、スイープ速度が速すぎると判断して、ステップＳ２−３で取得した指紋画像をエラーとし、ホスト装置に通知する。ホスト装置では、制御部３２からの通知に応じてスイープ速度が速すぎる旨のガイダンスを行う。これによって、ユーザは、適正な速度でスイープを行うことができる。
【００４６】
また、制御部３２は、ステップＳ２−２で取得したライン数が第１の値より小さくときには、ステップＳ２−４で取得したライン数が第２の値より小さいか否かを判定する。制御部３２は、ステップＳ２−４で取得したライン数が第２の値より小さければ、スイープ速度が遅すぎると判断して、ステップＳ２−３で取得した指紋画像をエラーとし、ホスト装置に通知する。ホスト装置では、制御部３２からのエラー通知に応じてスイープ速度が遅すぎる旨のガイダンスを行う。これによって、ユーザは、適正な速度でスイープを行うことができる。
【００４７】
また、制御部３２は、ステップＳ２−４で取得したライン数が第２の値より大きければ、すなわち、取得したライン数が第１の値より小さく、かつ、第２の値より大きければ、適切な速度でスイープされたと判断する。
【００４８】
制御部３２は、次にステップＳ２−５で隣接する２ラインにおいて値が一致するピクセル数を取得する。次に制御部３２は、ステップＳ２−６で隣接する２ラインにおいて値が一致するピクセル数が一定値より小さいか否かを判定する。
【００４９】
制御部３２は、ステップＳ２−６で隣接する２ラインにおいて値が一致するピクセル数が一定値より小さい場合には、スイープ速度が早すぎると判断して、ステップＳ２−３で取得した指紋画像をエラーとし、ホスト装置に通知される。ホスト装置では、制御部３２からの通知に応じてスイープ速度が速すぎる旨のガイダンスを行う。これによって、ユーザは、適正な速度でスイープを行うことができる。
【００５０】
制御部３２は、ステップＳ２−６で隣接する２ラインにおいて値が一致するピクセル数が一定値より大きい場合には、次に、ステップＳ２−７で隣接するラインにおいてラインの検出パターンが近似したラインの一方を破棄する。これによって、スイープ速度が遅い場合の補正を行うことができる。
【００５１】
次に制御部３２は、ステップＳ２−８でライン破棄後の総ライン数を取得する。
【００５２】
制御部３２は、ステップＳ２−９で総ライン数が所定値より大きいか否かを判定する。制御部３２は、ステップＳ２−９で総ライン数が所定値より小さい場合には、例えば、指を立ててスイープするなどして、取得された指紋が少ない判断できるので、ステップＳ２−３で指紋画像をエラーとする。また、制御部３２は、ステップＳ２−９で総ライン数が所定値より大きい場合には、正常にスイープされたと判断でき、画像検出処理を終了する。
【００５３】
以上により、正常に読み取られておらず、正確な認証が行えない指紋画像はエラーとされ、エラーとされた場合には、ホスト装置からユーザに対してガイダンスが行われるので、ユーザはガイダンスに従って、再度、スイープ動作を行える。これによって、正確な指紋認証が可能となる。
【００５４】
次にステップＳ１−４の判定処理について説明する。
【００５５】
図６は制御部３２の判定処理の処理フローチャートを示す。
【００５６】
制御部３２は、まず、ステップＳ３−１で背景破棄処理を行う。ステップＳ３−１の背景破棄処理は、指紋画像のエッジなどを抽出し、エッジの外側の画像を破棄する処理である。制御部３２は、ステップＳ３−２で抽出された指紋画像の平均幅を検出するとともに、ステップＳ３−３で、ステップＳ３−１で抽出された指紋画像中の黒、すなわち、イメージガイド１４の接触面が空気と接触している状態の部分の割合を検出する。
【００５７】
次に制御部３２は、ステップＳ３−４で平均幅が一定値より大きいか否かを判定する。制御部３２は、ステップＳ３−４で指紋画像の平均幅が一定値より小さい場合には、ステップＳ３−５で指紋画像中の黒の割合が第１の値より大きいか否かを判定する。
【００５８】
制御部３２は、ステップＳ３−５で指紋画像中の黒の割合が第１の値より大きい場合には、指のイメージガイド１４の検出面への押し付けが弱く、指紋の溝の部分が強調されたもの判断できるため、ステップＳ３−６で指紋画像をエラーとし、その旨、ホスト装置に通知する。
【００５９】
制御部３２は、ステップＳ３−５で指紋画像中の黒の割合が第２の値より小さい場合には、例えば、指がイメージガイド１４の検出面上で横にずれた状態でスイープされた場合や指が指紋を検出するのに充分な大きさではない場合であると判断できるため、ステップＳ３−５で指紋画像エラーとして、その旨、ホスト装置に通知する。ホスト装置は、制御部３２からのエラー通知に基づいてスイープ動作が適切でないか、あるいは、指が小さく登録できない旨のガイダンスを行う。ユーザはホスト装置によるガイダンスによって、スイープ動作が適切でないか、あるいは、指が小さく登録できない旨認識できる。
【００６０】
次にステップＳ１−６の肌診断処理について説明する。
【００６１】
図７は肌診断処理の処理フローチャートを示す。
【００６２】
制御部３２は、ステップＳ４−１で取得した指紋画像中の黒の割合を取得する。
【００６３】
次に制御部３２は、ステップＳ４−２で基準指紋画像中の黒の割合から比較範囲を取得する。なお、基準指紋画像は、予め取得された複数の指紋画像データに基づいて設定された標準的な指紋画像である。
【００６４】
制御部３２は、ステップＳ４−３で検出した指紋画像の黒の割合が、ステップＳ４−２で取得した比較範囲の上限より大きいか否かを判断する。制御部３２は、ステップＳ４−３で検出された指紋画像の黒の割合が、比較範囲の上限より大きいときと判断した場合には、指の水分が少ないと判断できるため、ステップＳ４−４で指が乾燥状態である旨、ホスト装置に通知する。ホスト装置は制御部３２からの通知により指先が乾燥状態である旨のガイダンスを行う。ユーザは、ホスト装置によるガイダンスにより指先が乾燥状態である旨認識できる。
【００６５】
また、制御部３２は、ステップＳ４−３で取得した指紋画像の黒の割合が比較範囲の上限より小さいと判断した場合には、ステップＳ４−５で検出した指紋画像の黒の割合が、比較範囲の下限より小さいか否かを判定する。制御部３２は、ステップＳ４−５で、検出した指紋画像の黒の割合が比較範囲の下限より小さいと判定した場合には、ステップＳ４−６で指の水分量が過多の状態である旨、ホスト装置に通知する。ホスト装置は、制御部３２からの通知により指の水分量が過多の状態である旨のガイダンスを行う。ユーザは、ホスト装置によるガイダンスにより指が水分量が過多の状態である旨認識できる。
【００６６】
さらに、制御部３２は、ステップＳ４−５で検出した指紋画像の黒の割合が比較範囲の下限より大きいと判定した場合には、ステップＳ４−７で指の水分量は適正である旨、ホスト装置に通知する。ホスト装置は、制御部３２からの通知により指の水分量が適正状態である旨のガイダンスを行う。ユーザは、ホスト装置によるガイダンスにより指が水分量が適正である旨認識できる。
【００６７】
本実施例によれば、指の水分量を検出して肌診断を行うことができる。なお、本実施例では、指の水分量を検出する場合について説明したが、イメージガイド１４からの画像を検出することにより、指先だけでなく、通常の肌の診断を行うこともできる
【００６８】
〔第２実施例〕
図１０は本発明の第２実施例のブロック構成図を示す。同図中、図１と同一構成部分には同一符号を付し、その説明は省略する。
【００６９】
本実施例の画像検出装置１００は、制御装置１１１の構成及び動作が第１実施例とは相違する。
【００７０】
本実施例の制御装置１１１は、ＡＤＣ（analog digital converter）１２１、制御部１２２から構成される。
【００７１】
ＡＤＣ１２１は、受信装置１５からのアナログ検出信号をディジタルデータに変換する。ＡＤＣ１２１で変換されたディジタルデータは、制御部１２２に供給される。制御部１２２は、ＡＤＣ１２１からのディジタルデータに基づいて指紋の山の部分と谷の部分とで二値化された二値化画像を生成する。
【００７２】
本実施例によれば、ディジタル処理により二値化を行うことができる。
【００７３】
なお、制御部１２２での指紋検出処理について第１実施例と同じであるので、その説明は省略する。
【００７４】
〔第３実施例〕
本実施例は、制御部１２２により発光素子１２−１〜１２−３の発光制御を行い、その発光量に基づいて肌診断を行うものである。
【００７５】
本実施例の構成は、図８と同じであるので、その説明は省略する。
【００７６】
図９は制御部１２２による発光素子制御動作のフローチャートを示す。
【００７７】
制御部１２２は、ステップＳ５−１で発光素子１２−１〜１２−３に対応して予め設定された範囲のデータを取得すると、ステップＳ５−２で取得した範囲のうちのピーク値を検出する。
【００７８】
次に制御部１２２は、ステップＳ５−３で検出したピーク値と基準レベルとを比較する。制御部１２２は、ステップＳ５−４でピーク値が基準レベルより大きいと判断したときには、ステップＳ５−５で対応する発光素子に駆動電流を供給する時間を決定するための駆動パルスのパルス幅を短縮する。
【００７９】
また、制御部１２２は、ステップＳ５−４でピーク値が基準レベルより小さいと判断したときには、ステップＳ５−６で対応する発光素子に駆動電流を供給する時間を決定するための駆動パルスのパルス幅を拡幅する。
【００８０】
以上により、制御部１２２により、検出画像が暗い場合には、発光素子１２−１〜１２−３の発光量が大きくなり、検出画像が明るい場合には、発光素子１２−１〜１２−３の発光量が小さくなるように制御し、発光素子１２−１〜１２−３の発光量が最適値となるように制御される。
【００８１】
制御部１２２は、制御部１２２による発光素子１２−１〜１２−３の発光制御時の発光量に基づいて肌診断処理を行う。
【００８２】
図１０は制御部１２２による肌診断処理の処理フローチャートを示す。
【００８３】
制御部１２２は、まず、ステップＳ６−１で制御部１２２による発光素子１２−１〜１２−３の発光制御時の発光量を取得する。次に制御部１２２は、ステップＳ６−２で取得した発光素子１２−１〜１２−３の発光量が基準範囲より大きいか否かを判定する。
【００８４】
制御部１２２は、ステップＳ６−２で取得した発光素子１２−１〜１２−３の発光量が基準範囲の上限より大きい場合には、検出画像が暗い、すなわち、指先の水分量が少なく、空気との接触部分が多いと判断できるため、乾燥肌と判定する。
【００８５】
また、制御部１２２は、ステップＳ６−２で取得した発光素子１２−１〜１２−３の発光量が基準範囲の上限より小さい場合には、ステップＳ６−４で取得した発光素子１２−１〜１２−３の発光量が基準範囲の下限より小さいか否かを判定する。
【００８６】
制御部１２２は、ステップＳ６−４で取得した発光素子１２−１〜１２−３の発光量が基準範囲の下限より小さい場合には、検出画像が明る過ぎする、すなわち、指先の水分量が多く、空気との接触部分が少ないと判断できるため、水分量過多であると判定する。
【００８７】
さらに、制御部１２２は、ステップＳ６−４で取得した発光素子１２−１〜１２−３の発光量が基準範囲の下限より大きい、すなわち、取得した発光素子１２−１〜１２−３の発光量が基準範囲内であれば、ステップＳ６−６で指先の水分量は適正と判定する。
【００８８】
本実施例によれば、発光素子１２−１〜１２−３の発光量によって、肌の水分量を検出し、ユーザにガイダンスを行うことができる。また、本実施例によれば、発光阻止１２−１〜１２−３の発光量の最適制御と肌診断とを行うことができ、制御部１２２の処理効率を向上させることができる。
【図面の簡単な説明】
【００８９】
【図１】本発明の第１実施例のブロック構成図である。
【図２】本発明の第１実施例の斜視図である。
【図３】検出部３１のブロック構成図である。
【図４】制御部３２のスライスレベル設定処理時の処理フローチャートである。
【図５】アナログスイッチ５３の制御動作を説明するための図である。
【図６】制御部３２の判定処理の処理フローチャートである。
【図７】肌診断処理の処理フローチャートである。
【図８】本発明の第２実施例のブロック構成図である。
【図９】制御部１２２による発光素子制御動作のフローチャートである。
【図１０】制御部１２２による肌診断処理の処理フローチャートである。
【符号の説明】
【００９０】
１、１００  画像検出装置
１１  回路基板、１２−１〜１２−３  発光素子、１３  導光ガイド
１４  イメージガイド
１５  受光装置、１５−１〜１５−ｎ  受光素子、１６  モールド樹脂
２１、１１１  制御装置
３１  検出部、３２  制御部
４１  アンプ、４２  コンパレータ、４３  スライスレベル生成回路
５１  キャパシタ、５２  抵抗、５３  アナログスイッチ
１２１  ＡＣＤ、１２２  制御部
【図１】
2005215890.tif 000003
【図３】
2005215890.tif 000004
【図４】
2005215890.tif 000005
【図５】
2005215890.tif 000006
【図６】
2005215890.tif 000007
【図７】
2005215890.tif 000008
【図８】
2005215890.tif 000009
【図９】
2005215890.tif 000010
【図１０】
2005215890.tif 000011
【図２】
2005215890.tif 000012